(57)【特許請求の範囲】
【請求項１】
上端部に固定片を、下端部に水切り片を備えて形成される土台水切りであって、壁面に施工される防水シートの下端部を接着させるための粘着層を、固定片の屋外面に横方向に沿って帯状に設けると共に、粘着層の表面の全面に離型シートを剥離自在に貼り付け、離型シートを上下に分離させる分離線を、水切り片を土台に固定する固着具を打ち込む箇所を通るように、離型シートの横方向の全長に亘って設けて成ることを特徴とする土台水切り。
【請求項２】
離型シートを固定片から水切り片を覆う大きさの上下幅に形成し、粘着層に貼り付けた離型シートで固定片から水切り片にかけての表面を覆って成ることを特徴とする請求項１に記載の土台水切り。
【請求項３】
請求項１に記載の土台水切りを家屋の土台の屋外面に配置し、離型シートの分離線の箇所において離型シート及び粘着層を通して固着具を固定片から土台に打入することによって、土台に土台水切りを固定し、分離線で離型シートを上下に分離しながら粘着層から剥がした後、壁下地に張設される防水シートの下端部を粘着層に接着させることを特徴とする土台水切りの施工方法。
【発明の詳細な説明】
【技術分野】
【０００１】
本発明は、家屋の土台に取り付けて使用される土台水切り及び土台水切りの施工方法に関するものである。
【背景技術】
【０００２】
家屋の外壁の下部の施工は、一般に図４のようにして行なわれている。まずコンクリートで基礎１５を作り、基礎１５の上に角型木材からなる土台７を取り付ける。次に土台７の屋外面に土台水切りＡを取り付ける。土台水切りＡは固定片１の下端に傾斜片１６を延出すると共に傾斜片１６の先端に水きり片２を垂下して形成されるものであり、固定片１から釘等の固着具を土台７に打入することによって、土台７に土台水切りＡを取り付けるようにしてある。そして土台７の上に立設される柱１７の屋外面間に渡して防水シート３を張って取り付け、さらに防水シート３の屋外側において縦胴縁１８を取り付けた後、縦胴縁１８の屋外側に外装材１９を釘打ち等して取り付けることによって、外壁を形成することができるものである。
【０００３】
このように形成される外壁において、外装材１９の内側に浸入した雨水や、外装材１９の内側に生じた結露水は、防水シート３によって遮断され、壁下地へこれらの水が浸入することを防ぐことができるものである。そしてこれらの雨水や結露水は防水シート３の屋外面に沿って流下し、土台水切りＡの屋外面を流れた後に水切り片２の下端から排出される。このため、防水シート３は土台水切りＡの固定片１の屋外面に重ねるようにしてあり、雨水や結露水が防水シート３の屋外面から土台水切りＡの屋外面へと流れるようになっている。
【０００４】
上記のように防水シート３を取り付けるにあたって、防水シート３は柱１７に固定されているが、柱１７間において防水シート３の下端部は土台水切りＡの固定片１の屋外面に重ねられているだけである。このため、強風が外装材１９の下端と土台水切りＡの間から吹き込むと、防水シート３のフリーな下端部が風であおられてバタバタと振れることになり、耳障りな騒音となると共に、防水シート３が下端部から破れるおそれがあるという問題があった。また、風雨が強いときには、土台水切りＡと防水シート３の下端部の間から雨水が吹き込んで、壁内部に雨水が浸入するおそれがあるという問題もあった。
【０００５】
そこで、土台水切りＡの固定片１の屋外面に粘着テープ等を貼り付けて粘着層４を設け、防水シート３の下端部をこの粘着層４に接着させることによって、防水シート３の下端部を粘着テープで土台水切りＡに固定し、防水シート３の下端部がバタバタと振れることを防ぎ、さらに土台水切りＡと防水シート３の間から雨水が吹き込むことを防ぐようにしている（例えば特許文献１参照）。
【特許文献１】特開２００４−３００８７３号公報
【発明の開示】
【発明が解決しようとする課題】
【０００６】
上記のように土台水切りＡの固定片１に粘着層４を設けるにあたって、土台水切りＡを土台７に取り付ける前に予め粘着層４を設けておく場合には、粘着層４の表面に離型シート５を貼って粘着層４を保護する必要がある。そしてこの場合には、粘着層４の箇所に釘等の固着具８を打入することが防水性のうえで好ましいので、図５（ａ）のように離型シート５の上から粘着層４を通して固定片１に固着具８を打ち付けて、土台７に土台水切りＡを取り付けることが行なわれることになる。
【０００７】
しかしこの場合、防水シート３の下端部を粘着層４に接着するために離型シート５を粘着層４から剥離するにあたって、離型シート５には固着具８が打入されているために、離型シート５を剥離する際に図５（ｂ）のように離型シート５が固着具８の部分で破れるおそれがある。そしてこのように離型シート５が破れると、離型シート５を一気に剥離することができなくなるので、離型シート５の剥離に手間を要することになるという問題があった。
【０００８】
本発明は上記の点に鑑みてなされたものであり、防水シートの下端部を粘着層で固定して、防水シートがばたつくことを防ぐことができると共に土台水切りと防水シートの間から雨水が浸入することを防ぐことができ、また粘着層に貼った離型シートの剥離作業を容易に行なうことができる土台水切り及び土台水切りの施工方法を提供することを目的とするものである。
【課題を解決するための手段】
【０００９】
本発明に係る土台水切りは、上端部に固定片１を、下端部に水切り片２を備えて形成される土台水切りＡであって、壁面に施工される防水シート３の下端部を接着させるための粘着層４を、固定片１の屋外面に横方向に沿って設けると共に、粘着層４の表面の全面に離型シート５を剥離自在に貼り付け、離型シート５を上下に分離させる分離線６を、水切り片２を土台７に固定する固着具８を打ち込む箇所を通るように、離型シート５の横方向の全長に亘って設けて成ることを特徴とするものである。
【００１０】
この発明によれば、離型シート５の上から固着具８を打入していても、分離線６に沿って離型シート５を上下に分離させながら粘着層４から剥離することによって、離型シート５が固着具８の部分で破れるようなことなく、離型シート５を全長に亘って一気に剥離することができるものであり、そしてこのように離型シート５を剥離した後、粘着層４に防水シート３の下端部を接着して固定することができるものである。
【００１１】
また本発明は、離型シート５を固定片１から水切り片２を覆う大きさの上下幅に形成し、粘着層４に貼り付けた離型シート５で固定片１から水切り片２にかけての表面を覆って成ることを特徴とするものである。
【００１２】
この発明によれば、土台水切りＡの表面を離型シート５で覆って保護することができ、土台水切りＡの表面が保管時や運搬時などに傷付くことを、離型シート５を利用して防ぐことができるものである。
【００１３】
また、本発明に係る土台水切りの施工方法は、上記の土台水切りＡを家屋の土台７の屋外面に配置し、離型シート５の分離線６の箇所において離型シート５及び粘着層４を通して固着具８を固定片１から土台７に打入することによって、土台７に土台水切りＡを固定し、分離線６で離型シート５を上下に分離しながら粘着層４から剥がした後、壁下地に張設される防水シート３の下端部を粘着層４に接着させることを特徴とするものである。
【００１４】
この発明によれば、分離線６に沿って離型シート５を上下に分離させながら粘着層４から剥離することによって、離型シート５が固着具８の部分で破れるようなことなく、離型シート５を全長に亘って一気に剥離することができるものである。また粘着層４に防水シート３の下端部を接着して固定することによって、防水シート３の下端部が風で振られてばたつくことを防ぐことができると共に、土台水切りＡと防水シート３の間から雨水が浸入することを防ぐことができるものである。
【発明の効果】
【００１５】
本発明によれば、分離線６に沿って離型シート５を上下に分離させながら粘着層４から剥離することによって、離型シート５が固着具８の部分で破れるようなことなく、離型シート５を全長に亘って一気に剥離することができ、離型シート５の剥離を容易に行なうことができるものである。そしてこのように離型シート５を剥離した後、粘着層４に防水シート３の下端部を接着して固定することによって、防水シート３の下端部が風で振られてばたつくことを防ぐことができると共に、土台水切りＡと防水シート３の間から雨水が浸入することを防ぐことができるものである。
【発明を実施するための最良の形態】
【００１６】
以下、本発明を実施するための最良の形態を説明する。
【００１７】
図２は土台水切りＡの一例を示すものであり、鉛直な固定片１と、固定片１の下端に屋外側へ下り傾斜するように延出される傾斜片１６と、傾斜片１６の先端から鉛直下方へ延出される水切り片２とから土台水切りＡを形成するようにしてある。この土台水切りＡは鋼板等の板金やアルミニウム押出品などで形成したものを用いることができる。図２の土台水切りＡは板金製であるため、強度アップ、小口錆の防止等の目的で水切り片２の下端には折り返し片２４が裏側へ折り返して設けてある。尚、アルミニウム押出品のように強度があり、小口錆の問題がない場合は、このような折り返し片は設けなくてもよい。
【００１８】
この土台水切りＡは横方向に長い形態に形成されるものであり、固定片１の屋外面にはその上端部の全長に沿って帯状に粘着層４が設けてある。粘着層４は、例えば、粘着テープを固定片１に貼り付けることによって形成することができる。また粘着層４の表面の全面には離型シート５が貼ってある。離型シート５は粘着層４とほぼ同じ上下幅寸法の帯状に形成されるものであり、離型シート５の上下幅の中央部に、その長手方向の全長に亘って分離線６が形成してある。分離線６は離型シート５を上下に分離するための線であり、例えば図２（ａ）のように離型シート５を上下に切断して分離している切断線６ａで形成することができる。また離型シート５を容易に破断して上下に分離できるようにした線であってもよく、例えば図２（ｂ）のようなミシン目線で分離線６を形成することもできる。
【００１９】
土台水切りＡには予め上記のような粘着層４を設けて離型シート５を貼ってあり、この状態で施工現場に搬入されるものである。そしてこの土台水切りＡを用いて家屋の外壁を施工するにあたっては、既述の図４と同様にして行なうことができる。まず基礎１５の上の土台７の屋外面に土台水切りＡを取り付ける。土台水切りＡの取り付けは、図１（ａ）のように離型シート５の上から粘着層４を通して固定片１に固着具８を打入し、さらに固着具８を土台７に打ち付けることによって行なうものである。このように粘着層４を通して固着具８を打ち付けることによって、固着具８の周囲に粘着層４が密着し、固着具８を打入した箇所の防水性を高めることができるものである。また固着具８の打ち付けは離型シート５の分離線６の位置において複数個所で行なわれるものであり、このようにすることによって、分離線６に沿った一定高さで固着具８の打ち付けを行なうことができ、土台水切りＡの取り付けの品質が安定するものである。
【００２０】
このように土台水切りＡを取り付けた後、防水シート３を柱１７などの壁下地に張って取り付ける。防水シート３の固定は柱１７などにタッカー止め等をすることによって行なうことができる。土台水切りＡの取り付けと防水シート３の取り付けの手順はこの逆であってもよい。
【００２１】
そしてこの後に、粘着層４の表面から離型シート５を剥離して、粘着層４の表面を露出させ、防水シート３の下端部を粘着層４に接着して固定する。このとき、離型シート５の剥離は図１（ｂ）に示すように、離型シート５を分離線６で上下に分離させながら、一方の端部から他方の端部へと順に粘着層４から引き剥がすようにして行なうものである。離型シート５の上から固着具８が打入されているが、固着具８はこの分離線６の位置に打入されているため、粘着層４から離型シート５を剥がす際に分離線６で離型シート５を上下に分離させることによって、離型シート５は固着具８から離れることになり、離型シート５が固着具８の箇所で破れるというようなことがなくなる。このため、離型シート５の全長を一気に粘着層４から引き剥がして剥離することができるものであり、離型シート５を剥離する作業を容易に行なうことができるものである。
【００２２】
このように土台水切りＡの粘着層４に防水シート３の下端部を接着した後、防水シート３の屋外側において縦方向の縦胴縁１８を取り付け、さらに縦胴縁１８の屋外側に外装材１９を釘打ち等して取り付けることによって、外壁を形成することができるものである。このように形成される外壁にあって、防水シート３と外装材１９の間には縦胴縁１８の厚みで上下方向の通気用間隙２２が図４に示すように形成されるものである。そして強風が外装材１９の下端と土台水切りＡの間からこの通気用間隙２２に吹き込んでも、防水シート３の下端部は土台水切りＡに固定されているので、風であおられてバタバタと振れるようなことがなくなり、耳障りな騒音が発生したり、防水シート３が下端部から破れたりすることを防ぐことができるものである。また防水シート３の下端部は土台水切りＡに粘着層４で貼り付けられており、土台水切りＡに密着しているので、土台水切りＡと防水シート３の間から雨水が浸入することを防ぐことができるものである。
【００２３】
ここで、図４及び図５の従来例に示すように、土台水切りＡの固定片１の上端に屋外面側へ折り返した折り返し片２１が設けてあると、固定片１の屋外面に重ねた防水シート３が折り返し片２１の突出で屋外側へ膨らんで、この屋外側に取り付ける縦胴縁１８にとって不陸になり、縦胴縁１８の取付施工が困難になる。このために上記の実施の形態に示すように、土台水切りＡの固定片１の上端には折り返し片２１を設けないで、固定片１を上端に至るまで同じ厚みになるように形成し、このような不陸が形成されないようにしてある。
【００２４】
図３（ａ）は本発明の他の実施の形態を示し、図３（ｂ）は参考例を示すものである。土台水切りＡは上記のように鋼板等の板金やアルミニウム押出品などで形成されるものであり、複数枚の土台水切りＡを重ねた状態で施工現場に搬入されることが多く、土台水切りＡ同士が擦れあうと、土台水切りＡの表面に傷が付くおそれがある。図３（ａ）の実施の形態及び図３（ｂ）の参考例は、このように土台水切りＡの表面に傷が付くことを、離型シート５を利用して防ぐことができるようにしたものである。
【００２５】
すなわち、図３（ａ）に示すように、離型シート５を土台水切りＡの固定片１の上端から、水切り片２の下端までを覆う大きさの上下幅に形成してあり、固定片１に設けた粘着層２にこの離型シート５を貼って土台水切りＡに離型シート５を取り付けると共に、離型シート５で固定片１の上端から水切り片２の下端の折り返し片２４にかけての外面を覆うようにしたものである。このように土台水切りＡの屋外面を離型シート５で覆うことによって、粘着層２に貼った離型シート５を利用して土台水切りＡの屋外面を保護することができるものであり、複数枚の土台水切りＡを重ねて搬送するなどしても、土台水切りＡ同士が直接擦れあうことがなく、土台水切りＡの屋外面に傷が付くことを防ぐことができるものである。
【００２６】
図３（ａ）の実施の形態では、粘着層２に貼った箇所において離型シート５に上記と同様な分離線６を形成するようにしてある。また図３（ｂ）の例では、このような分離線６は形成していない。つまり図３（ｂ）の土台水切りＡは、上端部に固定片１を、下端部に水切り片２を備えて形成されるものであり、壁面に施工される防水シート３の下端部を接着させるための粘着層４を、固定片１の屋外面に横方向に沿って帯状に設け、固定片１から水切り片２を覆う大きさの上下幅に形成した離型シート５を粘着層４に貼り付けると共に、離型シート５で固定片１から水切り片２にかけての表面を覆ったものである。
【図面の簡単な説明】
【００２７】
【図１】本発明の実施の形態の一例を示すものであり（ａ）（ｂ）は施工状態の一部の斜視図である。
【図２】本発明の土台水切りを示すものであり、（ａ）（ｂ）はそれぞれ異なる実施の形態を示す一部の斜視図である。
【図３】（ａ）は本発明の他の実施の形態を示し、（ｂ）は参考例を示すものであり、それぞれ土台水切りを示す一部の斜視図である。
【図４】従来例における外壁の施工の構造を示すものであり、（ａ）は断面図、（ｂ）は一部の斜視図である。
【図５】従来例の施工状態を示すものであり、（ａ）（ｂ）はそれぞれ一部の斜視図である。
【符号の説明】
【００２８】
１  固定片
２  水切り片
３  防水シート
４  粘着層
５  離型シート
６  分離線
７  土台
８  固着具
Ａ  土台水切り
【図１】
0005179256.tif 000002
【図２】
0005179256.tif 000003
【図３】
0005179256.tif 000004
【図４】
0005179256.tif 000005
【図５】
0005179256.tif 000006